(57)【要約】【課題】開閉レバーを開く操作以外の操作をしなければ、施錠した状態から開閉レバーが開かないパチン錠を提供する。【解決手段】台座５と、台座５に回動可能に支持された開閉レバー６と、開閉レバー６に回動可能に支持されたジョイント７と、台座５に設けられ、開閉レバー６を閉じた状態の開閉レバー６の開閉方向に対して傾斜する斜面２１と、開閉レバー６を閉じた状態の開閉レバー６の開方向にほぼ直交する係合面２２を有する爪部２０と、開閉レバー６に設けられ、爪部２０の係合面２２に対向して爪部２０を係止する係合面３１を有し、開閉レバー６を閉じる際、爪部２０の斜面２１に沿って、開閉レバー６を閉じる近傍の開閉レバー６の閉方向と直交する方向に爪部２０と相対的に変位する係合部と、開閉レバー６を閉じる近傍の閉方向と直交する方向に爪部２０と係合部が相対的に変位した場合に、変位が復元する方向に爪部２０を付勢するバネ２３と、を備える。【選択図】図２Ｂ
2009046816.tif 000002
【特許請求の範囲】
【請求項１】
台座と、
前記台座に回動可能に支持された開閉レバーと、
該開閉レバーに回動可能に支持された係止レバーと、
前記台座または前記開閉レバーの一方に設けられ、前記開閉レバーを閉じた状態の前記開閉レバーの開閉方向に対して傾斜する斜面と、前記開閉レバーを閉じた状態の前記開閉レバーの開方向にほぼ直交する係合面を有する爪部と、
前記開閉レバーまたは前記台座の他方に設けられ、前記爪部の前記係合面に対向して前記爪部を係止する係合面を有し、前記開閉レバーを閉じる際、前記爪部の前記斜面に沿って、前記開閉レバーを閉じる近傍の前記開閉レバーの閉方向と直交する方向に前記爪部と相対的に変位する係合部と、
前記爪部と前記係合部の少なくとも一方を、前記爪部と前記係合部が前記開閉レバーを閉じる近傍の閉方向と直交する方向に相対的に変位した場合に、前記変位が復元する方向に付勢する付勢手段と、
を備えることを特徴とするパチン錠。
【請求項２】
前記付勢手段は、前記台座または前記開閉レバーに設けられた前記爪部または前記係合部を、前記開閉レバーを閉じる近傍の前記開閉レバーの閉方向と直交する方向に変位できるように直に支持する、ことを特徴とする請求項１に記載のパチン錠。
【請求項３】
前記付勢手段は、前記台座に設けられた前記爪部を、前記開閉レバーを閉じる近傍の前記開閉レバーの閉方向と直交する方向に変位できるように支持する、ことを特徴とする請求項２に記載のパチン錠。
【請求項４】
前記付勢手段は、前記開閉レバーに設けられた前記爪部を、前記開閉レバーを閉じる近傍の前記開閉レバーの閉方向と直交する方向に変位できるように支持する、ことを特徴とする請求項２に記載のパチン錠。
【請求項５】
前記付勢手段は、前記台座に設けられた前記係合部を、前記開閉レバーを閉じる近傍の前記開閉レバーの閉方向と直交する方向に変位できるように支持する、ことを特徴とする請求項２に記載のパチン錠。
【請求項６】
前記付勢手段は、前記開閉レバーに設けられた前記係合部を、前記開閉レバーを閉じる近傍の前記開閉レバーの閉方向と直交する方向に変位できるように支持する、ことを特徴とする請求項２に記載のパチン錠。
【請求項７】
前記開閉レバーまたは前記台座の一方に、２つの前記爪部が、他方に２つの前記係合部が設けられ、
前記２つの爪部は、前記開閉レバーを閉じる際に、互いに逆方向に前記２つの係合部とそれぞれ相対的に変位する、
ことを特徴とする請求項３ないし６のいずれか１項に記載のパチン錠。
【請求項８】
前記パチン錠は、閃光灯装置のフタ用パチン錠であることを特徴とする請求項１ないし７のいずれか１項に記載のパチン錠。
【発明の詳細な説明】
【技術分野】
【０００１】
本発明は、パチン錠に関する。より詳しくは、閃光灯装置のフタに用いられるパチン錠に関する。
【背景技術】
【０００２】
一般に、筐体におけるケース本体とカバーなどの分離したものを互いに分離しないよう、一時的に係止しておく際に使用される係止手段として、パチン錠と呼ばれる留め具が使用されている。
【０００３】
パチン錠は、筐体におけるケース本体の端部付近に固定された錠軸受けと、この錠軸受けに取り付けられた錠軸を軸にして回動可能に錠軸受けに取り付けられたレバーと、レバーのほぼ中央に取り付けられたレバー軸を軸にして回動可能にレバーに取り付けられたジョイントと、カバーの端部付近に固定されたジョイントの先端のカギ部と噛み合うフックとから構成されている。このパチン錠において、ジョイントのカギ部をフックのカギ部に噛み合わせ、その後レバーをケース本体側へ倒すことで、ケース本体とカバーを互いに分離しないように係止できる。また、上記係止手段と逆の手順、すなわちケース本体側へ閉じられたレバーを開いて、ジョイントとフックの噛み合わせを解除することでケース本体とカバーを分離し、カバーを開けることができる。
【０００４】
一般に装置、特に電気機器において、その稼働期間中に内部を点検したり、部品を交換したり、設定の変更を行ったりするために、筐体の一部を開いて内部を見る必要がある。このような装置において、筐体におけるケース本体とカバーを係止するために、パチン錠が用いられることがある。保守のために頻繁にパチン錠を開閉する場合でも高い作業性を持たせるために、パチン錠には筐体のケースとカバーを容易に、かつしっかりと係止するパチン錠が必要である。
【０００５】
特許文献１には、閉蓋された際に台座の先端部と開閉レバーの先端部とを係止するロック手段を有するパチン錠について記載されている。このロック手段は、開閉レバーを台座側へ閉蓋させると、開閉レバー側に設けられたリリーフレバーの係止部が台座の係止部に係合される。リリーフレバーの係止部は、トーションバネにより、常に台座の係止部との係合方向へ付勢されている。この状態で、開閉レバーのレバー部に解錠方向への力が不意に加わったとしても、リリーフレバーの係止部はトーションバネによって台座の係止部との係合方向へ付勢されているので、開閉レバーが開いてパチン錠が解錠することはない。
【０００６】
特許文献２には、パチン錠以外の固定機構が記載されている。上面全体が開口したケースとその上面開口を閉鎖する蓋体であるハッチとからなる筐体において、ハッチはケースの後方上部に水平方向に延在する軸を中心に蝶動自在に取り付けられる。さらに、ハッチとケースの両側面内部には一対のエアスプリングが設置され、ハッチはエアスプリングによって解放する方向に付勢されている。ケース及びハッチの前面内側にはケースとハッチを係止するためのロック機構が設けられている。ハッチを閉鎖する際には、エアスプリングによる付勢力に抗してロック機構によるロックが掛かるまでハッチを押し下げる。所定位置までハッチを押し下げると、ロック機構によるロックが自動的に掛かる。リリースボタンを押せば、エアスプリングの付勢力によってハッチは全開位置まで自然に解放する。
【０００７】
携帯形情報処理装置において、後面に第１のコネクタを有するベースユニットが載置される載置面および第１のコネクタに接続可能な第２のコネクタを有する外部ユニットとを備えており、この外部ユニットの載置面には、ベースユニットの底面に計脱可能に引っ掛かる係合爪が配置されている。そして、外部ユニットは、係合爪を介してベースユニットを第２のコネクタに接続するためのコネクタ接続機構を備えていることが特許文献３に記載されている。
【特許文献１】特開２００１−２４１２５０号公報
【特許文献２】特開２００５−１５６３８３号公報
【特許文献３】特開平０７−１２９２７５号公報
【発明の開示】
【発明が解決しようとする課題】
【０００８】
しかしながら、一般のパチン錠において、開閉レバーを開く方向に力が不意に働くと、開閉レバーが開いてパチン錠がゆるみ、筐体のケース本体とフタの間にすきまが開くことがある。さらに、パチン錠のジョイントがはずれてフタが開いてしまうこともある。特許文献１のように、開閉レバーが開かないように係止する手段を設けた場合、パチン錠が複雑な構造になる。
【０００９】
本発明は、特に閃光灯装置等の筐体におけるケース本体とフタに適用することを想定している。閃光灯は、例えば、鉄塔、煙突、吊り橋の橋脚、などの非常に高い建造物や滑走路の導光などに備え付けられ、常時閃光を発して航空機等にその位置を知らせるものである。閃光灯は常時作動するため、定期的に管球を交換するなどの保守が必要である。さらに、雨天には雨にさらされるので、防雨構造が必要である。
【００１０】
閃光灯の保守作業をする場合、屋外の高所の狭い空間での作業となるので、作業時間を短縮し、安全に作業するために閃光灯のケース本体とフタは簡単な操作で開閉できることが要求される。さらに、例えば保守作業終了後に高所から降りる際、作業員の工具などが不意にパチン錠に接触し、開閉レバーの開方向に力が加わった場合、開閉レバーは開いたままの状態になってしまう。すると、閃光灯のケース本体とフタの間に隙間ができて、閃光灯内に雨が侵入してしまう。
【００１１】
そこで、パチン錠の開閉レバーに不意な力が働いた場合でも、開閉レバーが開かないように、簡単な構造で開閉レバーを係止することが要望される。また、パチン錠を閉じるのに、特別な操作を必要としないことが望ましい。
【００１２】
本発明は、上記状況に鑑みてなされたものであり、開閉レバーを開く操作以外の操作をしなければ、施錠した状態から開閉レバーが開かないパチン錠を提供することを目的とする。
【課題を解決するための手段】
【００１３】
本発明の第１の観点に係るパチン錠は、
台座と、
前記台座に回動可能に支持された開閉レバーと、
該開閉レバーに回動可能に支持された係止レバーと、
前記台座または前記開閉レバーの一方に設けられ、前記開閉レバーを閉じた状態の前記開閉レバーの開閉方向に対して傾斜する斜面と、前記開閉レバーを閉じた状態の前記開閉レバーの開方向にほぼ直交する係合面を有する爪部と、
前記開閉レバーまたは前記台座の他方に設けられ、前記爪部の前記係合面に対向して前記爪部を係止する係合面を有し、前記開閉レバーを閉じる際、前記爪部の前記斜面に沿って、前記開閉レバーを閉じる近傍の前記開閉レバーの閉方向と直交する方向に前記爪部と相対的に変位する係合部と、
前記爪部と前記係合部の少なくとも一方を、前記爪部と前記係合部が前記開閉レバーを閉じる近傍の閉方向と直交する方向に相対的に変位した場合に、前記変位が復元する方向に付勢する付勢手段と、
を備えることを特徴とする。
【００１４】
好ましくは、前記付勢手段は、前記台座または前記開閉レバーに設けられた前記爪部または前記係合部を、前記開閉レバーを閉じる近傍の前記開閉レバーの閉方向と直交する方向に変位できるように直に支持する。
【００１５】
さらに好ましくは、前記付勢手段は、前記台座に設けられた前記爪部を、前記開閉レバーを閉じる近傍の前記開閉レバーの閉方向と直交する方向に変位できるように支持する、ことを特徴とする。
【００１６】
あるいは、前記付勢手段は、前記開閉レバーに設けられた前記爪部を、前記開閉レバーを閉じる近傍の前記開閉レバーの閉方向と直交する方向に変位できるように支持してもよい。
【００１７】
あるいは、前記付勢手段は、前記台座に設けられた前記係合部を、前記開閉レバーを閉じる近傍の前記開閉レバーの閉方向と直交する方向に変位できるように支持してもよい。
【００１８】
あるいは、前記付勢手段は、前記開閉レバーに設けられた前記係合部を、前記開閉レバーを閉じる近傍の前記開閉レバーの閉方向と直交する方向に変位できるように支持してもよい。
【００１９】
好ましくは、前記開閉レバーまたは前記台座の一方に、２つの前記爪部が、他方に２つの前記係合部が設けられ、
前記２つの爪部は、前記開閉レバーを閉じる際に、互いに逆方向に前記２つの係合部とそれぞれ相対的に変位する、
ことを特徴とする。
【００２０】
特に、前記パチン錠は閃光灯装置のフタ用パチン錠の場合がある。
【発明の効果】
【００２１】
本発明によれば、開閉レバーの開閉操作以外の操作をしなければ、パチン錠の開閉レバーに不意な力が働いても開かないように、開閉レバーを係止することができる。
【発明を実施するための最良の形態】
【００２２】
以下、本発明の実施の形態に係るパチン錠４についての図面を参照しながら詳細に説明する。なお、図中の同一又は相当部分には同一符号を付し、その説明は繰り返さない。
【００２３】
図１は、本発明の実施の形態に係るパチン錠４を有する閃光灯の筐体１の一例を示す立面図である。図１（ａ）は閃光灯の筐体１におけるフタ３が閉じた状態を示す図であり、図１（ｂ）は閃光灯の筐体１におけるフタ３を開いた状態を示す図である。
【００２４】
図１に示すように、閃光灯の筐体１は、ケース本体２、フタ３およびパチン錠４から構成される。筐体１は閃光灯を収容する箱体であり、図１（ａ）に示すように、ケース本体２とフタ３とは筐体１の側面に設けられたパチン錠４によって閉じた状態に保持される。図１（ｂ）に示すようにパチン錠４を解錠して、筐体１のフタ３を開けた場合、パチン錠４はケース本体２側とフタ３側とに分離される。ケース本体２側には、パチン錠４をケース本体２に固定するための台座５と、パチン錠４を開閉するための開閉レバー６と、ケース本体２とフタ３を繋げるジョイント７が設けられる。フタ３側には、ジョイント７の先端と係合してケース本体２とフタ３を係止するフック８が設けられる。閃光灯は図１に示す収納部９内に収納される。
【００２５】
（実施の形態１）
図２Ａないし図２Ｃは本発明の実施の形態１に適応されるパチン錠４の開状態から閉状態までの変化を示す側面図である。図３Ａないし図３Ｃは、図２Ａないし図２Ｃのパチン錠４の平面図である。図２Ａと図３Ａ、図２Ｂと図３Ｂ、図２Ｃと図３Ｃがそれぞれ対応している。図４Ａは図２ＡのＡ−Ａ線断面図、図４Ｂは図２ＢのＢ−Ｂ線断面図、図４Ｃは図２ＣのＣ−Ｃ線断面図である。これらの図を用いて本発明の実施の形態１のパチン錠４の開閉の際の状態変化を説明する。図が煩瑣になるのを避け理解を容易にするため、図１で説明した閃光灯の筐体１は省略する。台座５はケース本体２に固定され、フック８はフタ３に固定されているものとする。
【００２６】
図２Ａおよび図３Ａは、開閉レバー６を開いた状態のパチン錠４を示す側面図および平面図である。図３Ａに示すように、パチン錠４は、台座５、開閉レバー６、ジョイント７およびフック８を備える。台座５に錠軸受け１０が形成され、錠軸受け１０に錠軸１１が設けられる。開閉レバー６は錠軸１１を中心にして回動可能に取り付けられる。開閉レバー６には回転軸１２が設けられ、回転軸１２を中心としてジョイント７が回動可能にとりつけられている。フック８は、ジョイント７の先端部と係合する。
【００２７】
台座５は、爪部２０およびバネ２３から構成される係止部１７を２つ備える（図３Ａ参照）。図４Ａは図２ＡのＡ−Ａ線断面図である。図４Ａに示すように、係止部１７は、爪部２０とバネ２３から構成される。爪部２０は、バネ２３に支持される。爪部２０は、斜面２１と係合面２２が形成されている。斜面２１は、開閉レバー６を閉じた状態の近くの開閉レバー６を閉じる方向に対して傾斜している。係合面２２は、開閉レバー６を閉じる方向にほぼ直交する。
【００２８】
図２Ｂおよび図３Ｂは、開閉レバー６を閉じる途中を示す側面図および平面図である。図４Ｂは図２ＢのＢ−Ｂ線断面図である。図２Ｂ、図３Ｂおよび図４Ｂに示すように、パチン錠４の開閉レバー６を閉じていくと、開閉レバー６が爪部２０の斜面２１に当たる。開閉レバー６は、斜面２１を押すが、爪部２０はバネ２３に支持されているので、開閉レバー６の閉じる方向には動かず、爪部２０は斜面２１に沿って開閉レバー６の閉じる方向に直角な方向に変位する。このとき、爪部２０はバネ２３によって、開閉レバー６の閉じる方向に直角な方向の変位が復元するように、付勢される。
【００２９】
開閉レバー６の爪部２０に当たる部分が係合部であり、その係合面２２に対向する面が係合面３１である。図３Ｂに係合面３１をハッチングで示す。
【００３０】
図２Ｃおよび図３Ｃは、開閉レバー６を閉じた状態の側面図および平面図である。図４Ｃは図２ＣのＣ−Ｃ線断面図である。開閉レバー６を閉じると、係合面３１は、爪部２０の斜面を超える。爪部２０は、開閉レバー６の閉じる方向に直角な変位が復元する方向に、バネ２３に付勢されているので、爪部２０は元の位置に復元する。爪部２０の係合面２２と、開閉レバー６の（係合部の）係合面３１が対向して、爪部２０は、開閉レバー６が開く方向に動くのを抑止する。
【００３１】
開閉レバー６を閉じた状態から開くには、例えば、指で２つの係止部１７の先端を挟んで、開閉レバー６の閉じる方向と直角方向に爪部２０を変位させて、係合面２２と係合面３１をはずしてから、開閉レバー６を操作する。
【００３２】
以上説明したとおり、開閉レバー６を閉じてパチン錠４を施錠した状態では、開閉レバー６を操作する以外に、爪部２０を外す操作をしないと、開閉レバー６を開くことができない。そのため、開閉レバー６に不意な力がかかっても、開閉レバー６が開かず、パチン錠４が解錠することがない。また、開閉レバー６を閉じるときに、特別な操作をしなくても開閉レバー６が爪部２０に係止される。爪部２０は、バネ２３に直接支持され、開閉レバー６を係止する構造は極めて簡単である。
【００３３】
さらに、台座５に爪部２０を有する係止部１７が２つ、変位方向が互いに逆になるように形成されるので、開閉レバー６を開く方向と直角方向に動かしても、どちらかの係合面２２が係止するので、開閉レバー６は開かない。また、２つの爪部２０を挟んで係止を解除することができるので、操作が簡単である。
【００３４】
（実施の形態２）
実施の形態２は、爪部２０を有する係止部１７が１つの場合である。図５Ａは、実施の形態２に係るパチン錠４の平面図である。図５Ｂは、図５ＡのＤ−Ｄ線断面図である。図５Ａおよび図５Ｂは、パチン錠４が閉じた状態を示す。
【００３５】
図５Ａに示すように、係止部１７は台座５に１つ設けられる。開閉レバー６の両側の腕部をつないで係合部３０が形成されている。図５Ｂに示すように、係止部１７は爪部２０とバネ２３から構成される。爪部２０には、斜面２１と係合面２２が形成されている。係合部３０は、係合面２２と対向する係合面３１を有する。
【００３６】
係止部１７と係合部３０は、実施の形態１の図４Ａないし図４Ｃと同様に作用する。開閉レバー６を閉じていくと、係合部３０が爪部２０の斜面に当たる。開閉レバー６の係合部３０は、斜面２１を押すが、爪部２０はバネ２３に支持されているので、開閉レバー６の閉じる方向には動かず、爪部２０は斜面２１に沿って開閉レバー６の閉じる方向に直角な方向に変位する。このとき、爪部２０はバネ２３によって、開閉レバー６の閉じる方向に直角な方向の変位が復元するように、付勢される。
【００３７】
開閉レバー６を閉じると、係合面３１は、爪部２０の斜面を超える。爪部２０は、開閉レバー６の閉じる方向に直角な変位が復元する方向に、バネ２３に付勢されているので、爪部２０は元の位置に復元する。爪部２０の係合面２２と、係合部３０の係合面３１が対向して、爪部２０は、開閉レバー６が開く方向に動くのを抑止する。
【００３８】
開閉レバー６を閉じた状態から開くには、例えば、指で係止部１７の先端を錠軸１１の方向に押さえ、開閉レバー６の閉じる方向と直角方向に爪部２０を変位させて、係合面２２と係合面３１をはずしてから、開閉レバー６を操作する。
【００３９】
実施の形態２においても、開閉レバー６を閉じてパチン錠４を施錠した状態では、開閉レバー６を操作する以外に、爪部２０を外す操作をしないと、開閉レバー６を開くことができない。そのため、開閉レバー６に不意な力がかかっても、開閉レバー６が開かず、パチン錠４が解錠することがない。また、開閉レバー６を閉じるときに、特別な操作をしなくても開閉レバー６が爪部２０に係止される。
【００４０】
実施の形態２では、爪部２０はバネ２３に直接支持され、その上係止部１７が１つであり、さらに構造が簡単である。
【００４１】
（実施の形態３）
実施の形態３は、開閉レバー６の係合部がバネで支持される場合である。図６は、実施の形態３に係るパチン錠４の開閉レバー６の変形を示す平面図である。図７Ａは図６のＥ−Ｅ線断面図である。図７Ｂは図６のＥ−Ｅ線断面におけるパチン錠４の開閉レバー６を閉じる途中の図である。図７Ｃは図６のＥ−Ｅ線断面におけるパチン錠４の開閉レバー６を閉じた状態の図である。
【００４２】
図６に示すように、係止部１８は台座５に対向するようにして２つ設けられる。係止部１８は、爪部２０と固定部２４からなる。開閉レバー６の長手方向はバネ３２であり、開閉レバー６の閉じる方向と直交する方向に変位する。係合部３０はバネ３２（開閉レバー６）の一部に形成され、直接支持されている。
【００４３】
図７Ａないし図７Ｃに示すように、開閉レバー６を閉じていくと、係合部３０が爪部２０の斜面２１に当たる。斜面２１は、開閉レバー６を閉じた状態の近くの開閉レバー６を閉じる方向に対して傾斜している。固定された爪部２０の斜面２１に対し、係合部３０は開閉レバー６の閉方向に直角な方向の力を受ける。このとき、係合部３０は直接バネ３２に支持されており、開閉レバー６の閉方向に対して直角方向に変位が復元するように付勢される。
【００４４】
開閉レバー６を閉じると、係合面３１は爪部２０の斜面２１を越え、係合部３０は元の位置に復元する。爪部２０の係合面２２と係合面３１が対向して、係合部３０を有する開閉レバー６が開方向に動くのを抑止する。
【００４５】
開閉レバー６を閉じた状態から開くには、例えば、指で開閉レバー６へ両側から力を加え、開閉レバー６の閉方向と直角方向に係合部３０を変位させ、係合面２２と係合面３１をはずしてから、開閉レバー６を操作すればよい。開閉レバー６を閉じてパチン錠４を施錠した状態では、開閉レバー６を操作する以外に爪部２０を外す操作をしないと、開閉レバー６を開くことができない。そのため、開閉レバー６に不意な力がかかっても、開閉レバー６が開かず、パチン錠４が解錠することがない。
【００４６】
実施の形態３は、開閉レバー６を閉じるときに特別な操作をすることなく開閉レバー６が爪部２０に係止される。さらに、開閉レバー６そのものに力を加えることで係合部３０と爪部２０を外すことができるため、片手でパチン錠４を解錠することができる。
【００４７】
さらに、台座５に爪部２０を有する２つの係止部１８に対して、係合部３０は変位方向が互いに逆になるように形成されるので、開閉レバー６を開く方向と直角方向に動かしても、どちらかの係合面２２が係止し、開閉レバー６は開かない。
【００４８】
実施の形態３において、爪部２０は固定部２４に支持されているが、バネに支持されていてもよい。開閉レバー６の短手方向で、爪部２０もしくは係合部３０の一方または両方が、開閉レバー６の閉方向に直交する方向にバネにより変位した状態で、向かい合う爪部２０の最も内側同士の距離が、向かい合う係合部３０の最も外側同士の距離より大きくなるように、相対的に変位すればよい。
【００４９】
（実施の形態４）
実施の形態４は、爪部２０が開閉レバー６側に設けられ、爪部２０がバネで支持される場合である。実施の形態４の平面図は、実施の形態３に係るパチン錠４の開閉レバー６の変形を示す図６の係止部１８を係止部２８と置き換え参照する。係止部２８は台座５に対向するようにして２つ設けられる。係止部２８は、係合部３０が固定部３３に支持されており、爪部２０の斜面２１と対向する面の方向に係合面３１を有する。
【００５０】
図８Ａは本発明の実施の形態４に係るパチン錠４の図６のＥ−Ｅ線断面図である。図８Ｂは図６のＥ−Ｅ線断面におけるパチン錠４の開閉レバー６を閉じる途中の図である。図８Ｃは図６のＥ−Ｅ線断面におけるパチン錠４の開閉レバー６を閉じた状態の図である。
【００５１】
開閉レバー６の長手方向はバネ２３であり、開閉レバー６の閉じる方向に対して直角方向に変位する。さらに開閉レバー６は固定部に対応する位置に爪部２０を備えており、爪部２０の斜面２１は、開閉レバー６を閉じる方向に対して傾斜している。
【００５２】
図８Ａないし図８Ｃに示すように、開閉レバー６を閉じていくと、バネ２３の爪部２０の斜面２１が固定部３３の係合部３０に当たる。斜面２１は係合部３０を押すが、係合部３０は固定されているため、爪部２０は開閉レバー６の閉方向に直角な方向に変位する。
【００５３】
開閉レバー６を閉じると、爪部２０の係合面２２は係合面３１を越える。バネ２３は、開閉レバー６の閉方向と直角方向に変位し、元の位置に復元する。爪部２０の係合面２２と係合面３１が対向して、固定部３３は開閉レバー６が開方向に動くのを抑止する。
【００５４】
開閉レバー６を閉じた状態から開くには、例えば、指で開閉レバー６へ両側から力を加え、開閉レバー６の閉方向と直角方向にバネ２３を変位させ、係合面２２と係合面３１をはずしてから、開閉レバー６を操作すればよい。開閉レバー６を閉じてパチン錠４を施錠した状態では、開閉レバー６を操作する以外に爪部２０を外す操作をしないと、開閉レバー６を開くことができない。そのため、開閉レバー６に不意な力がかかっても、開閉レバー６が開かず、パチン錠４が解錠することがない。
【００５５】
実施の形態４は、開閉レバー６を閉じるときに特別な操作をすることなく開閉レバー６が爪部２０に係止され、簡単にパチン錠４を施錠できる。また、実施の形態４は実施の形態３と同様に、開閉レバー６そのものに力を加えることで爪部２０を外すことができるため、片手でパチン錠４を解錠することができる。
【００５６】
さらに、台座５に２つの係合部３０を有し、対する２つの爪部２０は変位方向が互いに逆になるように形成されるので、開閉レバー６を開く方向と直角方向に動かしても、どちらかの係合面が対向し係止されるので、開閉レバー６は開かない。
【００５７】
実施の形態４は、開閉レバー６にバネ２３を有するが、固定部３３がバネに支持されていてもよく、爪部２０と係合部３０が相対的に変位すればよい。
【００５８】
（実施の形態５）
実施の形態５は、台座５に設けられた係合部３０がバネ３２で支持される場合である。実施の形態５の平面図は、図６の係止部１８を係止部２７と置き換え参照する。このとき、開閉レバー６はバネではない。係止部２７は台座５に対向するようにして２つ設けられる。係止部２７は、係合部３０がバネ３２に支持されており、爪部２０の斜面２１と対向する面の方向に係合面３１を有する。
【００５９】
図９Ａは本発明の実施の形態５に係るパチン錠４の断面図である。図９Ｂは実施の形態５に係るパチン錠４の開閉レバー６を閉じる途中の図である。図９Ｃは実施の形態５に係るパチン錠４の開閉レバー６を閉じた状態の図である。
【００６０】
開閉レバー６の爪部２０の斜面２１は、開閉レバー６を閉じる方向に対して傾斜している。パチン錠４の開閉レバー６を閉じていくと、開閉レバー６の爪部２０の斜面２１が係合部３０に当たる。係合部３０は、開閉レバー６の閉じる方向に直角な方向に変位する力を受け、バネ３２に開閉レバー６の閉方向に直角な方向の変位が復元するように付勢される。
【００６１】
開閉レバー６を閉じると、爪部２０の係合面２２は係合部３０の係合面３１を越える。バネ３２は、開閉レバー６の閉方向と直角方向に変位し、元の位置に復元する。爪部２０の係合面２２と係合面３１が対向して、係合部３０は開閉レバー６が開方向に動くのを抑止する。
【００６２】
開閉レバー６を閉じた状態から開くには、例えば、指で２つの係合部３０の先端を挟んで、開閉レバー６の閉じる方向と直角方向に爪部２０を変位させて、係合面２２と係合面３１をはずしてから、開閉レバー６を操作する。開閉レバー６を閉じてパチン錠４を施錠した状態では、開閉レバー６を操作する以外に爪部２０を外す操作をしないと、開閉レバー６を開くことができない。そのため、開閉レバー６に不意な力がかかっても、開閉レバー６が開かず、パチン錠４が解錠することがない。さらに、開閉レバー６を閉じるときに特別な操作をせずに爪部２０が係止され、簡単にパチン錠４を施錠できる。
【００６３】
台座５に２つの係合部３０を有し、変位方向が逆になるように形成されるので、開閉レバー６を開く方向と直角に動かしても、どちらかの係合面２２が係止するので、開閉レバー６は開かない。
【００６４】
以上、実施の形態を挙げて本発明を説明したが、本発明は上記各実施の形態に限定されるものではなく、種々変形が可能である。
【図面の簡単な説明】
【００６５】
【図１】本発明の実施の形態に係るパチン錠を備える閃光灯の筐体の立面図である。
【図２Ａ】本発明の実施の形態１に係るパチン錠の開閉レバー開状態の側面図である。
【図２Ｂ】図２Ａのパチン錠の開閉レバーを閉じる途中を示す側面図である。
【図２Ｃ】図２Ａのパチン錠の開閉レバーを閉じた状態を示す側面図である。
【図３Ａ】図２Ａのパチン錠の平面図である。
【図３Ｂ】図２Ｂのパチン錠の平面図である。
【図３Ｃ】図２Ｃのパチン錠の平面図である。
【図４Ａ】図２ＡのＡ−Ａ線断面図である。
【図４Ｂ】図２ＢのＢ−Ｂ線断面図である。
【図４Ｃ】図２ＣのＣ−Ｃ線断面図である。
【図５Ａ】本発明の実施の形態２に係るパチン錠の平面図である。
【図５Ｂ】図５ＡのＤ−Ｄ線断面図である。
【図６】本発明の実施の形態３に係るパチン錠の開閉レバーの変形を示す平面図である。
【図７Ａ】実施の形態３に係る図６のＥ−Ｅ線断面図である。
【図７Ｂ】図６のＥ−Ｅ線で実施の形態３に係るパチン錠の開閉レバーを閉じる途中を示す断面図である。
【図７Ｃ】図６のＥ−Ｅ線で実施の形態３に係るパチン錠の開閉レバーを閉じた状態を示す断面図である。
【図８Ａ】本発明の実施の形態４に係るパチン錠の断面図である。
【図８Ｂ】実施の形態４に係るパチン錠の開閉レバーを閉じる途中を示す断面図である。
【図８Ｃ】実施の形態４に係るパチン錠の開閉レバーを閉じた状態を示す断面図である。
【図９Ａ】本発明の実施の形態５に係るパチン錠の断面図である。
【図９Ｂ】実施の形態５に係るパチン錠の開閉レバーを閉じる途中を示す断面図である。
【図９Ｃ】実施の形態５に係るパチン錠の開閉レバーを閉じた状態を示す断面図である。
【符号の説明】
【００６６】
１  閃光灯の筐体
２  ケース本体
３  フタ
４  パチン錠
５  台座
６  開閉レバー
７  ジョイント
８  フック
９  収納部
１０  錠軸受け
１１  錠軸
１２  ジョイントの回転軸
１７、１８  係止部
２０  爪部
２１  斜面
２２  係合面（爪部）
２３  バネ（爪部）
２４  固定部
２７、２８  係止部
３０  係合部
３１  係合面（係合部）
３２  バネ（係合部）
【図１】
2009046816.tif 000003
【図２Ａ】
2009046816.tif 000004
【図２Ｂ】
2009046816.tif 000005
【図２Ｃ】
2009046816.tif 000006
【図３Ａ】
2009046816.tif 000007
【図３Ｂ】
2009046816.tif 000008
【図３Ｃ】
2009046816.tif 000009
【図４Ａ】
2009046816.tif 000010
【図４Ｂ】
2009046816.tif 000011
【図４Ｃ】
2009046816.tif 000012
【図５Ａ】
2009046816.tif 000013
【図５Ｂ】
2009046816.tif 000014
【図６】
2009046816.tif 000015
【図７Ａ】
2009046816.tif 000016
【図７Ｂ】
2009046816.tif 000017
【図７Ｃ】
2009046816.tif 000018
【図８Ａ】
2009046816.tif 000019
【図８Ｂ】
2009046816.tif 000020
【図８Ｃ】
2009046816.tif 000021
【図９Ａ】
2009046816.tif 000022
【図９Ｂ】
2009046816.tif 000023
【図９Ｃ】
2009046816.tif 000024